(57)【要約】      （修正有）【課題】モータが双方向出力を有し、各々異なる構造を駆動できる電動ナットリベッターを提供する。【解決手段】電動ナットリベッター２０は、第１出力軸４２１と、第２出力軸４３とを備え、第１出力軸は第１ギアセット４４に着設され、第２出力軸が第２ギアセット４５に着設されるモータ４０と、リベットナット軸５１と連結歯車５３と可動歯車５２と、を備え、連結歯車が第２ギアセットと噛み合い、可動歯車が第１ギアセットと噛み合うリベットナット駆動ユニット５０と、を含む。モータの第１ギアセット及び第２ギアセットは各々リベットナット駆動ユニットと噛み合い、モータの両端の第１出力軸及び第２出力軸が各々第１ギアセット及び第２ギアセットと噛み合うことによって、異なるギア比を形成できることで、リベットナット駆動ユニットに対しより良好なギア駆動の比を生み出すことができる。【選択図】図４
0003234209.tif 000002
【実用新案登録請求の範囲】
【請求項１】
内部に収容室を備えた筐体と、
前記収容室内に設けられ、第１出力軸と、第２出力軸と、を備え、前記第１出力軸は第１ギアセットに設けられ、前記第２出力軸が第２ギアセットに設けられるモータと、
前記収容室内に設けられ、リベットナット軸と、連結歯車と、可動歯車と、を備え、前記可動歯車は、前記第１ギアセットと噛み合い、前記連結歯車が前記第２ギアセットと噛み合うリベットナット駆動ユニットと、
を含む電動ナットリベッター。
【請求項２】
前記モータは、本体をさらに備え、前記第１出力軸及び前記第２出力軸が前記本体の両側に設けられ、前記第１ギアセット及び前記第２ギアセットも各々前記本体の両側に設けられる請求項１に記載の電動ナットリベッター。
【請求項３】
前記第１ギアセットは、第１シャフトギアと、第１変速ギアシャフトと、を含み、前記第１シャフトギアが前記第１出力軸に設けられ、前記第１変速ギアシャフトが前記筐体に枢設され、第１主歯車と、第１副歯車と、を備え、前記第１主歯車が前記第１シャフトギアと噛み合い、前記第１副歯車が前記可動歯車と噛み合う請求項１又は２に記載の電動ナットリベッター。
【請求項４】
前記第１ギアセットは、第１シャフトギアと、第１変速ギアシャフトと、を含み、前記第１シャフトギアが前記第１出力軸に設けられ、前記第１変速ギアシャフトが前記筐体に枢設され、第１伝動歯車を備え、前記第１シャフトギアが前記第１伝動歯車で前記可動歯車を伝動させる請求項１又は２に記載の電動ナットリベッター。
【請求項５】
前記第１出力軸と前記モータとの間に減速ギアセットが設けられる請求項１又は２に記載の電動ナットリベッター。
【請求項６】
前記第２ギアセットは、第２シャフトギアと、第２変速ギアシャフトと、を含み、前記第２シャフトギアが前記第２出力軸に設けられ、前記第２変速ギアシャフトが前記筐体に枢設され、第２主歯車と、第２副歯車と、を備え、前記第２主歯車が前記第２シャフトギアと噛み合い、前記第２副歯車が前記連結歯車と噛み合う請求項１又は２に記載の電動ナットリベッター。
【請求項７】
前記第２ギアセットは、第２シャフトギアと、第２変速ギアシャフトと、を含み、前記第２シャフトギアが前記第２出力軸に設けられ、前記第２変速ギアシャフトが前記筐体に枢設され、第２伝動歯車を備え、前記第２シャフトギアが前記第２伝動歯車で前記連結歯車を伝動させる請求項１又は２に記載の電動ナットリベッター。
【請求項８】
前記モータと電気的に接続し、表示パネル及びボタン群を設けた制御ユニットをさらに含む請求項１に記載の電動ナットリベッター。
【請求項９】
前記表示パネルは、材質表示領域と、寸法表示領域と、を含み、前記ボタン群が少なくとも１つの材料選択ボタンと、少なくとも１つの寸法選択ボタンと、を含む請求項８に記載の電動ナットリベッター。
【請求項１０】
前記表示パネルは、微調整表示領域をさらに含み、前記ボタン群が少なくとも１つの微調整選択ボタンをさらに含む請求項９に記載の電動ナットリベッター。
【請求項１１】
前記ボタン群は、保存・読取ボタンをさらに含む請求項９又は１０に記載の電動ナットリベッター。
【請求項１２】
前記第２出力軸は、前記モータの回転子である請求項１又は２に記載の電動ナットリベッター。
【考案の詳細な説明】
【技術分野】
【０００１】
本考案は、ナットリベッターに関し、特に、モータが双方向出力を有し、各々異なる構造を駆動できる電動ナットリベッターに関する。
【背景技術】
【０００２】
図１は、リベットナット駆動ユニット１１と、モータ１２と、を備えた従来の電動ナットリベッター１０を示す。前記リベットナット駆動ユニット１１は、基本的にヘッドを回転させ、ヘッドをリベットナットと螺接させること及び前記リベットナット駆動ユニット１１を移動させ、ヘッドとリベットナットとが螺着した後、前記リベットナットを前記電動ナットリベッター１０に向けて引っ張って前記リベットナットを変形させると、リベット接合を完了させることという２つの動作を含み、前記２つの動作を達成するため、前記リベットナット駆動ユニット１１に可動歯車１１１及び連結歯車１１２が設けられ、前記連結歯車１１２は、前記リベットナット駆動ユニット１１を回転させることで、前記リベットナット駆動ユニット１１がリベットナット（図示せず）を螺入又は螺出させることができ、前記可動歯車１１１が前記リベットナット駆動ユニット１１を前記リベットナット内に螺入させた後、前記リベットナット駆動ユニット１１を前記電動ナットリベッター１０方向に移動するように駆動させることで、前記リベットナットにリベット接合・固定動作を形成させることができる。前記モータ１２は、前記リベットナット駆動ユニット１１上の可動歯車１１１及び連結歯車１１２を同時に回転させるため、ギアシャフト１３と噛み合い、前記ギアシャフト１３が前記モータ１２と前記リベットナット駆動ユニット１１との間に横設され、その上に第１歯車１３１及び第２歯車１３２が設けられる。前記第１歯車１３１は、前記可動歯車１１１と噛み合い、前記第２歯車１３２が前記連結歯車１１２と噛み合い、前記可動歯車１１１及び前記連結歯車１１２が各々前記モータ１２の両端に位置するため、前記ギアシャフト１３の長さも前記モータ１２の長さよりも長くなることで、前記可動歯車１１１及び前記連結歯車１１２と各々噛み合うことができる。前記モータ１２が回転すると、前記ギアシャフト１３を回転させ、前記ギアシャフト１３の第１歯車１３１及び第２歯車１３２は、前記リベットナット駆動ユニット１１上の可動歯車１１１及び前記連結歯車１１２を連動させて、前記リベットナット駆動ユニット１１上の連結歯車１１２及び可動歯車１１１を駆動してそれぞれのリベットナットと螺接すると共にリベットナットを引っ張る圧縮動作を行うことで、リベットナットのリベット止めを完了させる。なお、従来の別の電動リベットナットガンは、異なる回転数を発生して可動歯車及び連結歯車を制御するため、２つの異なるモータで噛み合い、２つの異なるモータの回転数を通じて、前記可動歯車及び連結歯車の回転数を調整させる。
【０００３】
図２を参照すると、異なるリベットナットの材質及び仕様に対応するため、前記電動ナットリベッター１０の外側に制御パネル１４が設けられ、使用者は、使用する種類の違いにより、０１〜９９等の異なる数値を前記制御パネルに与え、異なる材質及びサイズに対応する値を与えて前記モータ１２のトルクの大きさを変更することができる。
【０００４】
しかしながら、上述の先行技術において、前記ギアシャフト１３は、前記モータと前記リベットナット駆動ユニット１１との間に横設される必要があり、前記モータ１２と前記リベットナット駆動ユニット１１との間の距離が増大する。また、前記ギアシャフト１３は、前記モータ１２及び前記リベットナット駆動ユニット１１と直接噛み合い、前記ギアシャフト１３と前記リベットナット駆動ユニット１１との間の使用スペースも制限されているため、前記モータ１２と前記リベットナット駆動ユニット１１との間に他のギアセットを設けて回転速度比のアクションを行うことができず、前記リベットナット駆動ユニット１１の可動歯車１１１と連結歯車１１２が使用するギア比が制限される。２つの異なるモータ出力を使用すると、異なる速度比を調整できるが、使用上において、２つのモータを使用するとコスト及び重量が増すだけではなく、作動時にも比較的多くの電力を消費することにより、操作時間が短縮される。制御パネル１４は、数値の大きさを調整して前記モータ１２のトルク出力を変更させることができるが、入力値がテーブルルックアップ及び対応する入力する必要があり、前記材質サイズの対応する値を忘れた場合、何度もテーブルルックアップの必要があり、使用上支障をきたしていた。
【考案の概要】
【考案が解決しようとする課題】
【０００５】
本考案の主な目的は、モータが双方向出力を有し、リベットナット駆動ユニットを各々駆動できる電動ナットリベッターを提供することである。
【０００６】
本考案の別の目的は、２つの異なる出力回転数のある出力軸を有する単一のモータを備えた電動ナットリベッターを提供することである。
【０００７】
本考案の更なる別の目的は、パラメータの入力が容易な電動ナットリベッターを提供することである。
【課題を解決するための手段】
【０００８】
上記目的を達成するため、本考案は電動ナットリベッターを提供し、電動ナットリベッターは、
内部に収容室を備えた筐体と、
前記収容室内に設けられ、第１出力軸と、第２出力軸と、を備え、前記第１出力軸は第１ギアセットに着設され、前記第２出力軸が第２ギアセットに着設されるモータと、
前記収容室内に設けられ、リベットナット軸と、連結歯車と、可動歯車と、を備え、前記可動歯車は、前記第１ギアセットと噛み合い、前記連結歯車が前記第２ギアセットと噛み合うリベットナット駆動ユニットと、を含む。
【０００９】
好ましくは、前記モータは、本体をさらに備え、前記第１出力軸及び前記第２出力軸が前記本体の両側に設けられ、前記第１ギアセット及び前記第２ギアセットも各々前記本体の両側に設けられる。
【００１０】
好ましくは、前記第１ギアセットは、第１シャフトギアと、第１変速ギアシャフトと、を含み、前記第１シャフトギアが前記第１出力軸に設けられ、前記第１変速ギアシャフトが前記筐体に枢設され、第１主歯車と、第１副歯車と、を備え、前記第１主歯車が前記第１シャフトギアと噛み合い、前記第１副歯車が前記可動歯車と噛み合う。
【００１１】
好ましくは、前記第２ギアセットは、第２シャフトギアと、第２変速ギアシャフトと、を含み、前記第２シャフトギアが前記第２出力軸に設けられ、前記第２変速ギアシャフトが前記筐体に枢設され、第２主歯車と、第２副歯車と、を備え、前記第２主歯車が前記第２シャフトギアと噛み合い、前記第２副歯車が前記連結歯車と噛み合う。
【考案の効果】
【００１２】
本考案により提供される電動ナットリベッターのモータは、両端側から前記リベットナット駆動ユニットの連結歯車及び可動歯車と各々噛み合うことができることで、前記モータと前記リベットナット駆動ユニットとの間の前記第１ギアセットと前記第２ギアセットを異なるギア比のギアセットと組み合わせてマッチングさせることができ、前記リベットナット駆動ユニットが異なる歯車の要件に応じてより良いギア比設計を生み出すことができる。
【００１３】
本考案の目的、特徴及び奏する効果は、下記の好ましい実施例の説明及び図面から理解することができる。
【図面の簡単な説明】
【００１４】
【図１】従来の電動ナットリベッターの内部構造図である。
【図２】従来の電動ナットリベッターの制御パネル及びルックアップテーブルを示す概略図である。
【図３】本考案の好ましい実施例に係る電動ナットリベッターの立体外観図である。
【図４】本考案の好ましい実施例に係る電動ナットリベッターのモータ及びリベットナット駆動ユニットの組立図である。
【図５】本考案の好ましい実施例に係るモータ及びギアセットの立体分解図である。
【図６】本考案の好ましい実施例に係る電動ナットリベッターの制御ユニット設定を示す概略図である。
【図７】本考案の第２の好ましい実施例に係る電動ナットリベッターのモータ及びリベットナット駆動ユニットの組立図である。
【考案を実施するための形態】
【００１５】
図３乃至図５を参照すると、本考案の好ましい実施例で提供される電動ナットリベッター２０は、以下の構成を有する。すなわち、筐体３０の内部には収容室３１を有する。
【００１６】
図４及び図５を参照すると、モータ４０は、前記収容室３１の下部位置に設けられ、本体４１と、減速ギアセット４２と、第２出力軸４３と、を備え、前記減速ギアセット４２の前端に第１出力軸４２１が設けられ、前記第１出力軸４２１に第１ギアセット４４が着設され、第２出力軸４３に第２ギアセット４５が着設され、前記第１ギアセット４４及び前記第２ギアセット４５が各々前記本体４１の両側に位置し、前記第２出力軸４３は、前記モータ４０の回転子で構成され、前記回転子の他端が前記減速ギアセット４２内に配置され、前記モータ４０の回転子から出力された回転数が先に前記減速ギアセット４２を通じて減速させ、前記第１出力軸４２１と第２出力軸４３との間に速度差を生じさせ、異なる速度出力を通じて第１段階の速度調整を行い、２つの異なるモータで異なる回転数を出力するのと同等であり、前記第１ギアセット４４は、第１シャフトギア４４１と、第１変速ギアシャフト４４２と、を備え、前記第１シャフトギア４４１が前記第１出力軸４２１に設けられ、前記第１変速ギアシャフト４４２が、前記筐体３０の前側に枢設され、第１主歯車４４３と、第１副歯車４４４と、を備え、前記第１主歯車４４３が前記第１シャフトギア４４１と噛み合っているので、前記第１シャフトギア４４１が第１主歯車４４３及び前記第１副歯車４４４を回転させることができ、本実施例において、前記減速ギアセット４２が先にモータ４０の回転子に対し第１段階の減速を行うことで、第１出力軸４２１の回転数を低下させたため、前記第１ギアセット４４の第１シャフトギア４４１と第１主歯車４４３との間の歯数比を１：１であり、設計では、前記減速ギアセット４２の設計を省略して前記第１出力軸４２１を前記モータの回転子に直接連結させ、前記第１シャフトギア４４１と第２主歯車４４３との間の歯数比の設定を通じて第１段階の減速を行うこともでき、前記第２ギアセット４５は、第２シャフトギア４５１と、第２変速ギアシャフト４５２と、を含み、前記第２シャフトギア４５１は前記第２出力軸４３に設けられ、前記第２変速ギアシャフト４５２は前記筐体３０の後側に枢設され、第２主歯車４５３と、第２副歯車４５４と、を備え、前記第２主歯車４５３が前記第２シャフトギア４５１と噛み合っているので、前記第２シャフトギア４５１が前記第２主歯車４５３及び前記第２副歯車４５４を回転させることができ、前記第２シャフトギア４５１の歯数は、前記第２主歯車４５３の歯数よりも小ないため、第１段階の減速を生じさせることができる。前記減速ギアセット４２の設計により、前記モータ４０から出力される第１出力軸４２１と第２出力軸４３を異なる回転数に形成させることができ、２つのモータを必要とせずに回転数を変更することもでき、前記第１ギアセット４４と第２ギアセット４５のギア比及びギア数と相まって、設計により交換及び調整することができる。前記第１ギアセット４４と第２ギアセット４５との間の歯数比の違いにより、回転数及びトルクの変化が可能で、かつ前記第１ギアセット４４と前記第２ギアセット４５との間のギア比、及びモータ４０とリベットナット駆動ユニット５０との間の位置は調整・変更することができ、ギア比の設計が容易に完了させ、異なる使用場面又は使用サイズに合わせて設計を変更させることで、出力パワーと速度を制限なく、かつ複数のギア比を通じて必要な要件を満たすことができる。
【００１７】
図４を参照すると、リベットナット駆動ユニット５０は、前記収容室３１の上部位置に設けられ、リベットナット軸５１と、可動歯車５２と、連結歯車５３と、を備え、前記可動歯車５２は前記第１ギアセット４４の第１副歯車４４４と噛み合い、前記第１副歯車４４４の歯数が前記可動歯車５２の歯数より少ないため、前記第１副歯車４４４と前記可動歯車５２との間に第２段階の減速を形成させることができ、前記連結歯車５３は、前記第２ギアセット４５の第２副歯車４５４と噛み合い、前記第２副歯車４５４の歯数が前記連結歯車５３の歯数よりも少ないため、前記第２副歯車４５４と前記連結歯車５３との間に第２段階の減速を形成させることができ、前記リベットナット軸５１は、前記筐体３０から突出し、前記リベットナット軸５１の外側に雄ねじが設けられ、前記可動歯車５２及び前記連結歯車５３に連動されることができることで、前後の移動及び連結の動作が生じ、前記リベットナット駆動ユニット５０の構造は従来の構造であるため、ここでその説明を省略する。
【００１８】
制御ユニット６０は、前記モータ４０と電気的に接続し、表示パネル６１及びボタン群６２を備え、前記表示パネル６１が材質表示領域６１１と、寸法表示領域６１２と、微調整表示領域６１３と、を含み、前記ボタン群６２は、前記表示パネル６１に対応するように材料選択ボタン６２１、寸法選択ボタン６２２、微調整選択ボタン６２３及び保存・読取ボタン６２４を備え、前記材質選択ボタン６２１が押された後対応するリベットナットの材質を選択すると共に前記材質表示領域６１１に表示されることができ、例えばアルミニウムの場合はＡ、鋼の場合がＳ、ステンレス鋼の場合がＥなどの異なる英語コードで材質を表し、前記寸法選択ボタン６１２は、前記リベットナットのサイズを選択すると共に前記寸法表示領域６１２に２桁で表示され、前記微調整選択ボタン６２３は、設定済みの寸法及び材質を実施位置の材質又はその他の要因により、正負の値で微調整すると共に前記微調整表示領域６１３に表示されることができ、なお、前記保存・読取ボタン６２４を介して設定済みの頻繁に使用される値を保存でき、また同じ仕様を使用する時に読み取ることができることで、調整速度を上げることができる。
【００１９】
図６を参照すると、本実施例の電動ナットリベッター２０を使用する時、先に前記制御ユニット６０を通じて様々なパラメータを設定でき、異なるパラメータの設定は前記表示パネル６１を通じて使用者に現在操作の仕様を確知させることができる以外に、使用する仕様に従い直接設定でき、テーブルルックアップの必要がなく、直感的に使用できることで、操作の複雑さを軽減でき、直接使用することもできる。調整を終えた後、前記モータ４０が対応するトルク出力を生成することができるようにさせるため、前記制御ユニット６０を通じて前記モータ４０を設定できる。
【００２０】
図３及び図４を同時に参照すると、電動リベット接合・ナットリベットを行う時、前記モータ４０が駆動されると、前記モータ４０は、前記減速ギアセット４２及び前記第２出力軸４３を同時に連動させて、前記減速ギアセット４２上の第１出力軸４２１が噛み合っている第１ギアセット４４を回転させ、並びに前記第２出力軸４３が噛み合っている第２ギアセット４５を回転させ、この時、前記第１副歯車４４４及び前記第２副歯車４５４は、各々前記可動歯車５２及び連結歯車５３を同時に回転させ、前記リベットナット軸５１を先にリベットナット（図示せず）内に螺入させてから前記電動ナットリベッター２０に向かって引っ込めることができ、前記リベットナットに押圧・リベット接合アクションを発生させる。次に、前記リベットナット軸５１を再び引き抜くと、１回のアクションを完了する。
【００２１】
図７を参照すると、本考案の電動ナットリベッターの第２の好ましい実施例であり、主な構造は、前述の実施例と同じで、同じ構造が同じの符号で表され、ここでその説明を省略する。
【００２２】
前記第１ギアセット４４は、前記第１変速ギアシャフト４４２に第１伝動歯車４４５のみが設けられ、前記第１出力軸４２１上の第１シャフトギア４４１と前記リベットナット駆動ユニット５０の可動歯車５２との間には前記第１伝動歯車４４５が噛み合い、なお、前記第２ギアセット４５は、前記第２変速ギアシャフト４５２にも第２伝動歯車４５５のみが設けられ、前記第２出力軸４３上の第２シャフトギア４５１と前記リベットナット駆動ユニット５０の連結歯車５３との間には前記第２伝動歯車４５５が噛み合い、前記第１及び第２ギアセットの４４、４５は、前記第１伝動歯車４４５及び前記第２伝動歯車４５５を介して前記可動歯車５２及び連結歯車５３を直接伝動することで、歯車の使用を減らし、動力伝達の損失を減らすことができ、組み合わせて使用する時に動力のニーズ又は回転数のニーズに応じて組み合わせることができ、前記第１ギアセット４４及び前記第２ギアセット４５に設置されるギア数を調整でき、本考案の実施例によって限定されない。
【産業上の利用可能性】
【００２３】
本考案の電動ナットリベッターのモータは、２つの出力軸を備えるため、前記リベットナット駆動ユニットの２つの異なる歯車とそれぞれ噛み合うように駆動することができ、従来のモータが１つの出力軸のみを備え、前記リベットナット駆動ユニットと前記モータとの間にギアシャフトを設ける必要があることと比較して、本考案のモータの２つの出力軸が２つの異なる回転数構成を出力でき、更に２つの異なるギアセットを外付けし、異なるニーズについてギア比の設計を容易にすることで、前記電動ナットリベッターの性能を向上させることができる。なお、本考案の制御ユニットは、直感的な方法で設定することができ、テーブルルックアップを必要とせず、従来の単純に数値で表示し、テーブルルックアップによる対応の必要があることと比較して、操作時の設定の手間を軽減し、操作の利便性を向上させることができる。
【符号の説明】
【００２４】
２０          電動ナットリベッター
３０                筐体
３１                収容室
４０                モータ
４１                本体
４２                減速ギアセット
４２１                第１出力軸
４３                第２出力軸
４４                第１ギアセット
４４１                第１シャフトギア
４４２                第１変速ギアシャフト
４４３                第１主歯車
４４４                第１副歯車
４４５        第１伝動歯車
４５                第２ギアセット
４５１                第２シャフトギア
４５２                第２変速ギアシャフト
４５３                第２主歯車
４５４                第２副歯車
４５５        第２伝動歯車
５０                リベットナット駆動ユニット
５１                リベットナット軸
５２                可動歯車
５３                連結歯車
６０                制御ユニット
６１                表示パネル
６１１                材質表示領域
６１２                寸法表示領域
６１３                微調整表示領域
６２                ボタン群
６２１                材料選択ボタン
６２２                  寸法選択ボタン
６２３                微調整選択ボタン
６２４                保存・読取ボタン
【図１】
0003234209.tif 000003
【図２】
0003234209.tif 000004
【図３】
0003234209.tif 000005
【図４】
0003234209.tif 000006
【図５】
0003234209.tif 000007
【図６】
0003234209.tif 000008
【図７】
0003234209.tif 000009